(57)【要約】【課題】側溝に何等の加工を要することなく、跳ね上がりを確実に防止することができるグレーチングを提供する。【解決手段】左右に側壁部２、２を備え、各側壁部２、２は内側上縁に蓋受部１を有し、蓋受部下はテーパ面７を介して薄肉部８となっているコンクリート製の側溝４を用い、両端に嵩上げ材１１を備えた台座１２が嵩上げ材１１を蓋受部１に載置して取付けられる。嵩上げ材１１には下側部を外向きに傾斜させた跳ね上がり防止金具１７が取付けられ、該跳ね上がり防止金具１７に取付けたゴム製のマット２１が側壁部６のテーパ面７に押付けられ、ガタ付くことなく抜け止めされる。台座１２上に固定されるグレーチング５は台座１２と共に抜け止めされ、跳ね上がりが防止される。【選択図】図２
2014132144.tif 000002
【特許請求の範囲】
【請求項１】
左右の側壁部と、両側壁部を下端において連結する底壁部よりなって断面略Ｕ形状をなし、両側壁部には内側上縁に蓋受部が形成されると共に、該蓋受部下の側壁部が蓋受部に続いて下向きに末広がり状に傾斜するテーパ面を介して薄肉にされたコンクリート製の側溝又は横断溝の蓋受部間に取付けられるグレーチングであって、グレーチングに固定され、かつ前記蓋受部に載置される嵩上げ材又は蓋受部間に横架される台座、或いはグレーチング自体に前記側溝又は横断溝の側壁部の前記テーパ面に当てがわれる跳ね上がり防止金具を取付けたことを特徴とするグレーチング。
【請求項２】
前記前記台座は両端に蓋受部に載置される嵩上げ材を備え、該嵩上げ材には前記跳ね上がり防止金具が取付けられ、またグレーチングが前記嵩上げ材又は台座にボルトにて取外し可能に取着されることを特徴とする請求項１記載のグレーチング。
【請求項３】
前記跳ね上がり防止金具のテーパ面への当り面にはゴム又は樹脂製の弾性材が取付けられることを特徴とする請求項１又は２記載のグレーチング。
【発明の詳細な説明】
【技術分野】
【０００１】
本発明は、コンクリート製の側溝や横断溝に敷設されるグレーチングに関する。
【背景技術】
【０００２】
道路や歩道等に雨水を排水するために設置されるコンクリート製の側溝や横断溝（以下、単に側溝等という）は一般に、左右の側壁部と、両側壁部を下端において連結する底壁部よりなって断面略Ｕ形状をなし、両側壁部の内側上縁にはグレーチング等の溝蓋を置くための蓋受部が形成され、溝蓋の敷設は通常、溝蓋を前記蓋受部に直接載置するか、蓋受部に取付けた断面アングル状の受枠又は両側壁部の蓋受部間に横架した台座上に載置することにより行い、或いは角パイプ状の嵩上げ材を介して前記蓋受部に載置することにより行っている。
【０００３】
側溝等に関してはまた、図１に示すように側溝の軽量化と、通水面積を増やすことを目的として、蓋受部１下の側壁部２を抉って薄肉構造にしたものが知られる。
【０００４】
またグレーチングに関しては、該グレーチング上を車両が走行するときのグレーチングの跳ね上がりを防止する構造のものが知られ、既知のこうした構造のものでは、側溝等の蓋受部に受枠と、該受枠より突出するアンカーボルトを取付けておき、受枠上に載置したグレーチングをアンカーボルトに固定するタイプのものが一般的であるが、側溝等の蓋受部に載置される角パイプ状の嵩上げ材を両側に備えると共に、両嵩上げ材を連結する連結材を備えた台座を前記蓋受部に嵩上げ材を介して横架したのち、台座の連結材に取付けた延設片をコンクリート製溝ブロックの天井に下側より当てがい、ついで受枠上にグレーチングを固定配置した構造のもの（特許文献１）、グレーチングに固定の補助部材と、該補助部材に連結される締付け板とで蓋受部に取付けた受枠の底板部を挟んで締付け固定した構造のものも知られる（特許文献２）。
【先行技術文献】
【特許文献】
【０００５】
【特許文献１】特許第４４５４５７９号
【特許文献２】特許第４７８２１４９号
【発明の概要】
【発明が解決しようとする課題】
【０００６】
側溝等の蓋受部に受枠と共にアンカーボルトを取付けた構造のものでは、受枠にボルトを予め取付けておいてからコンクリートを打設するが、コンクリート打設時にボルトが動いたり傾いたりしがちで、ボルトが動いたり傾くと、グレーチングを固定するのに支障を来たしがちとなる。また側溝等に後からアンカーボルトを取付ける場合には、所定位置及び向きにボルトを取付けるのが容易であるが、施工性が悪いうえ、アンカーボルト取付けのため、コンクリートをはつるとき、コンクリートに割れや欠け等を生じがちである。
【０００７】
特許文献１及び２に開示される構造のものでは、前記のような問題は生じないが、特許文献１に開示されるもののようにグレーチングに延設片を設けて隣接する溝蓋下に当てがう構造のものでは、隣接の溝蓋が固定されていないと、車両の走行等によりグレーチングと隣接の溝蓋が共に持ち上がるおそれがあり、跳ね上がり防止効果を十分に発揮することができない。
【０００８】
また特許文献２に開示されるものにおいても既存の側溝等における蓋受部に締付け板を受入れるための加工を行う必要があり、既存の側溝等には適用できない。
【０００９】
本発明は、前記の問題を生ずることなく、跳ね上がりを防止することのできる構造のグレーチングを提供することを目的とする。
【課題を解決するための手段】
【００１０】
請求項１に係る発明は、左右の側壁部と、両側壁部を下端において連結する底壁部よりなって断面略Ｕ形状をなし、両側壁部には内側上縁に蓋受部が形成されると共に、該蓋受部下の側壁部が蓋受部に続いて下向きに末広がり状に傾斜するテーパ面を介して薄肉にされた側溝等の蓋受部間に取付けられるグレーチングであって、グレーチングに固定され、かつ前記蓋受部に載置される嵩上げ材又は蓋受部間に横架される台座、或いはグレーチング自体に前記側溝等の側壁部の前記テーパ面に当てがわれる跳ね上がり防止金具を取付けたことを特徴とする。
【００１１】
請求項２に係る発明は、請求項１に係る発明において、前記台座は両端に蓋受部に載置される嵩上げ材を備え、該嵩上げ材には前記跳ね上がり防止金具が取付けられ、またグレーチングが前記嵩上げ材又は台座にボルトにて取外し可能に取着されることを特徴とし、
請求項３に係る発明は、請求項１又は２に係る発明において、跳ね上がり防止金具のテーパ面への当り面にはゴム又は樹脂製の弾性材が取付けられることを特徴とする。
【発明の効果】
【００１２】
請求項１に係る発明によると、側溝等に図１に示すような既存の側溝等を用い、該側溝等のテーパ面を利用して、該テーパ面に当てがわれる跳ね上がり防止金具でグレーチングの抜け止め及び跳ね上がりを防止するようにしたもので、側溝等に何等の加工を要することなく、グレーチングの跳ね上がりを確実に防止することができる。
【００１３】
請求項２に係る発明によると、跳ね上がり防止金具を嵩上げ材に取付ける際、グレーチングを台座より取外すことによりグレーチングが邪魔となることなく、跳ね上がり防止金具を台座へ取付けるのが容易に行え、またグレーチングを台座より取外すことで側溝等の清掃が可能となる。
【００１４】
請求項３に係る発明によると、側壁部のテーパ面に当てがわれる跳ね上がり防止金具に弾性材を設けることにより、跳ね上がり防止金具とテーパ面とのガタ付きをなくすことができる。
【図面の簡単な説明】
【００１５】
【図１】側溝等の断面図。
【図２】グレーチングを取付けた側溝等の断面図。
【図３】グレーチングの平面図。
【図４】側溝等に台座を取付けた状態の断面図。
【図５】嵩上げ材に跳ね上がり防止金具を取付けた断面図。
【発明を実施するための形態】
【００１６】
以下、本発明の実施形態のグレーチングについて図面により説明する。
図２は、図１に示す既知の側溝等４に取付けたグレーチング５を示すもので、側溝等４は図示するように、左右の側壁部２、２と、両側壁部２、２を下端において連結する底壁部３よりなり、両側壁部２、２は内側上縁に底面が内向きの下り勾配で傾斜する蓋受部１が形成され、各蓋受部下の側壁部２、２はそれぞれ、蓋受部１に続き、下向きに末広がり状に傾斜するテーパ面７に続く薄肉部８となっている。
【００１７】
グレーチング５は両端に前記蓋受部８に載置される嵩上げ材１１を備えた台座１２上に載置され、嵩上げ材１１とは該嵩上げ材１１に固着のナット１４にボルト１３を捩じ込むことにより取外し可能に固定されるようになっている。このグレーチング５は既知のもので、図３に示すようにベアリングバー５ａと、並列するベアリングバー５ａと直交して固定されるツイストバー５ｂと、ベアリングバー端に固定される端板５ｃよりなり、四隅には前記ボルト１３を通すボルト通し穴１５を備えた取付板１６が溶接にて固着されている。図３には、四隅のうち、三隅にボルト１３を通した状態を示している。
【００１８】
嵩上げ材１１は断面略倒Ｌ形のアングル材１１ａと、前記テーパ面７と合致ないしほぼ合致するテーパ１１ｃを備えた部材１１ｂを、該部材１１ｂを内側にして組合わせた略角形の中空断面構造をなしている。
【００１９】
嵩上げ材１１にはまた、その内側面に跳ね上がり防止金具１７の上端部がボルト１８で縫ってナット１９にて固定されている。この跳ね上がり防止金具１７は中間部で鈍角に屈折して外向きに傾斜する下側部の外側にはゴム又は樹脂製の弾性材よりなるマッド２１が取付けられており、該マット２１が前記側壁部２のテーパ面７に当てられるようにしてある。
【００２０】
グレーチング５の取付時においては先ず、両端に嵩上げ材１１を連結した台座１２が嵩上げ材１１を蓋受部１上に載置して装着される（図４）。次に左右の各嵩上げ材１１にそれぞれ前記跳ね上がり防止金具１７の上端部をボルト１８とナット１９にて取付け、マット２１を前記テーパ面７に押し当て、台座１２がガタ付くことのないようにすると共に、該台座１３の抜け止め及び回動を防止する（図５）。その後、グレーチング５が台座上に載置され、グレーチング５の四隅において前記嵩上げ材１１のナット１４にボルト１３を捩じ込み固定する（図２）。
【００２１】
本実施形態によれば、図１に示す既存の側溝等４を用い、該側溝等４に何等加工することなく、台座１２及びグレーチング５が取付けられ、側溝等４に取付けられた台座１２は側溝等４にガタ付くことなく抜け止め及び回転止めされ、これにより台座上に固定したグレーチング５は固定状態となり、跳ね上がりが防止される。
【００２２】
前記実施形態では、跳ね上がり防止金具１７は嵩上げ材１１に取付けられているが、蓋受部８に直接横架される台座に取付けてもよいし、グレーチング自体に直接取付けてもよい。
【符号の説明】
【００２３】
１・・蓋受部
２・・側壁部
４・・側溝等
５・・グレーチング
７・・テーパ面
８・・薄肉部
１１・・嵩上げ材
１２・・台座
１７・・跳ね上がり防止金具
２１・・マット
【図１】
2014132144.tif 000003
【図２】
2014132144.tif 000004
【図３】
2014132144.tif 000005
【図４】
2014132144.tif 000006
【図５】
2014132144.tif 000007